(57)【要約】      （修正有）【課題】部品のいかなる方向の倒れも防止でき、且つ回路基板の上方から配置することが可能な部品倒れ防止構造を提供する。【解決手段】回路基板上に立設されたコンデンサ等の部品６の沿面距離確保と倒れ防止を行うための回路基板上の部品倒れ防止構造であって、上記主基板は、上記回路基板から切り取られて形成される厚みの薄い倒れ防止部材と、上記部品が半田付けされる上記回路基板のパターン近傍に、上記部品の倒れを防止するよう上記倒れ防止部材が貫通して半田付けされるスリット部とを有する。【選択図】図２
2007227542.tif 000002
【特許請求の範囲】
【請求項１】
映像画面を表示する表示パネルと、
音声を出力するスピーカと、
テレビジョン放送を受信して映像を上記表示パネルに表示させるとともに音声を上記スピーカにて出力させる信号処理回路と、一次側回路と二次側の回路との間に所定の沿面距離を確保し、電圧を印加することで内部抵抗値が急激に上昇し電圧を印加した時に生じる突入電流を任意の値に抑制するサーミスタを実装する電源回路とを有する主基板と、
上記表示パネルとスピーカと主基板とを収容する樹脂製のキャビネットとを備えるテレビジョン装置において、
上記主基板は、
上記主基板から切り取られ、厚みの薄い矩形の第一の基部の一辺から、厚みを同じにして延設する第二の基部と第三の基部が所定の間隔を有して配置されることでコの字状の断面を形成する本体部を上記主基板に半田付けするために、上記第一の基部から延設する第二の基部の先端より同第二の基部と厚みを同じに延設する第一の半田付け部と、上記第一の基部から延設する第三の基部の先端より同第三の基部と厚みを同じに延設する第二の半田付け部とを有する倒れ防止部材と、
上記サーミスタが半田付けされる上記主基板のパターン近傍に、上記倒れ防止部材の第二の基部と第三の基部とで上記サーミスタの倒れを防止するために同サーミスタを上方から斜めに跨いで挟むよう上記第一の半田付け部と上記第二の半田付け部とが貫通して半田付けされる第一のスリットと第二のスリットから構成されるスリット部とを有することを特徴とするテレビジョン装置。
【請求項２】
回路基板上に立設されたコンデンサ等の部品の沿面距離確保と倒れ防止を行うための回路基板上の部品倒れ防止構造であって、
上記主基板は、
上記回路基板から切り取られて形成され、厚みの薄い矩形の第一の基部の一辺から、厚みを同じにして延設する第二の基部と第三の基部が所定の間隔を有して配置されることでコの字状の断面を形成する本体部を有する倒れ防止部材と、
上記部品が半田付けされる上記回路基板のパターン近傍に、上記第二の基部と第三の基部とが上記部品を斜めに挟むことで倒れを防止するよう上記倒れ防止部材が貫通して半田付けされるスリット部とを有することを特徴とする部品倒れ防止構造。
【請求項３】
上記倒れ防止部材は、
上記回路基板に半田付けされる部品の足が上記本体部の第一の基部を跨ぎつつ、上記第二の基部と第三の基部とが同部品を斜めに挟むよう、上記第一の基部の上記第二の基部と上記第三の基部とが延設する辺とは反対の辺より厚みを同じに延設し、上記スリット部を貫通して半田付けされる第三の半田付け部と第四の半田付け部とを有することを特徴とする請求項２に記載の部品倒れ防止構造。
【発明の詳細な説明】
【技術分野】
【０００１】
本発明は、部品倒れ防止構造に関し、特に、基板の一部を利用して部品の倒れを防止する部品倒れ防止構造、および上記した部品倒れ防止構造を使用したテレビジョン装置に関する。
【背景技術】
【０００２】
回路基板上には、一次側回路と二次側電源回路の間に所定の沿面距離を確保する必要がある。しかしながら一次側回路と二次側電源回路の間にサーミスタ等の背の高い部品を半田付けしている場合においては、上記部品が倒れて一次側回路と二次側回路を同通さてしまうと漏電による発火などの問題となっていた。
【０００３】
上記部品の倒れを防止するために回路基板から切り取った矩形の部材を、倒れを防止したい部品を一方からもたれ掛らせるよう回路基板上に配置する方法が知られている（例えば、特許文献１参照。）。
【０００４】
また、倒れを防止したい部品をプラスチックロッドで連結することで、上記部品の倒れを防止する方法が知られている（例えば、特許文献２参照。）。
【０００５】
また、倒れを防止したい部品の先端に基板の切れ端を固定しつつ、上記切れ端と回路基板とに溝を形成し、上記部品の先端に固定した切れ端と回路基板とを他の切れ端を上記溝に挿入することで固定する方法が知られている（例えば、特許文献３参照。）。
【特許文献１】特開平１１ー８４８１
【特許文献２】特開平１１ー２６１２５８
【特許文献３】特開平１１ー１４５６４８
【発明の開示】
【発明が解決しようとする課題】
【０００６】
上述した特許文献１の発明においては次のような問題があった。つまり、上記倒れを防止するための部材は、部品を一方からでしか支持していないため、仮に部品が逆方向に倒れた場合には対応できなかった。
【０００７】
また、特許文献２の発明においては次のような問題があった。つまり、プラスチックロッドを使用して上記部品間を接着剤等にて固定するため、作業に余計な手間がかかっていた。また、プラスチックロッドを使用するためコストも余計にかかっていた。
【０００８】
また、特許文献３の発明においては次のような問題があった。つまり、部品を固定する切れ端は少なくとも２方向から回路基板に配置する必要がある。このため、部品間に隙間がない場合には使用することが難しかった。また、パーツフィーダ等の部品配給装置を利用する場合には、二方向から別々に基板に配置する必要があるため部品配置装置を適用することが難しかった。
【０００９】
本発明は、上記課題にかんがみてなされたもので、部品のいかなる方向の倒れも防止でき、且つ回路基板の上方から配置することが可能な部品倒れ防止構造、および上記倒れ防止構造を使用したテレビジョン装置の提供を目的とする。
【課題を解決するための手段】
【００１０】
上記課題を解決するために、本発明の請求項１にかかる発明では、映像画面を表示する表示パネルと、音声を出力するスピーカと、テレビジョン放送を受信して映像を上記表示パネルに表示させるとともに音声を上記スピーカにて出力させる信号処理回路と、一次側回路と二次側の回路との間に所定の沿面距離を確保し、電圧を印加することで内部抵抗値が急激に上昇し電圧を印加した時に生じる突入電流を任意の値に抑制するサーミスタを実装する電源回路とを有する主基板と、上記表示パネルとスピーカと主基板とを収容する樹脂製のキャビネットとを備えるテレビジョン装置において、
上記主基板は、上記主基板から切り取られ、厚みの薄い矩形の第一の基部の一辺から、厚みを同じにして延設する第二の基部と第三の基部が所定の間隔を有して配置されることでコの字状の断面を形成する本体部を上記主基板に半田付けするために、上記第一の基部から延設する第二の基部の先端より同第二の基部と厚みを同じに延設する第一の半田付け部と、上記第一の基部から延設する第三の基部の先端より同第三の基部と厚みを同じに延設する第二の半田付け部とを有する倒れ防止部材と、上記サーミスタが半田付けされる上記主基板のパターン近傍に、上記倒れ防止部材の第二の基部と第三の基部とで上記サーミスタの倒れを防止するために同サーミスタを上方から斜めに跨ぎつつ挟むよう上記第一の半田付け部と上記第二の半田付け部とが貫通して半田付けされる第一のスリットと第二のスリットから構成されるスリット部とを有する構成である。
構成としてある。
【００１１】
上記のように構成した請求項１にかかる発明においては、表示パネルと、スピーカと、主基板と、樹脂製のキャビネットとを有するテレビジョンにおいて、上記した主基盤は、一次側回路と二次側の回路との間に所定の沿面距離を確保するとともに、電圧を印加することで内部抵抗値が急激に上昇し電圧を印加した時に生じる突入電流を任意の値に抑制するサーミスタを上記一次側回路と二次側電源回路の間に半田付けする。
【００１２】
上記したサーミスタの倒れを防止するために、上記主基板は、本体部と第一の半田付け部と、第二の半田付け部とを有する倒れ防止部材と、スリット部とを有する。倒れ防止部材は、上記主基板から切り取られ、厚みの薄い矩形の第一の基部の一辺から、厚みを同じにして延設する第二の基部と第三の基部が所定の間隔を有して配置されることでコの字状の断面を形成する本体部を構成する。上記本体部を上記主基板に半田付けするために、上記第一の基部から延設する第二の基部の先端より同第二の基部と厚みを同じに延設する第一の半田付け部と、上記第一の基部から延設する第三の基部の先端より同第三の基部と厚みを同じに延設する第二の半田付け部とを有する。
【００１３】
また、スリット部は、上記サーミスタが半田付けされる上記主基板のパターン近傍に、上記第一の半田付け部と第二の半田付け部を貫通して半田付けする第一のスリット部と第二のスリット部を有する。スリット部により主基板に固定された倒れ防止部材は、第二の基部と第三の基部とで上記サーミスタを上方から斜めに跨ぐようにして上記サーミスタの倒れを防止する。
【００１４】
また、上記目的を達成するために、請求項２に記載の発明では、回路基板上に立設されたコンデンサ等の部品の沿面距離確保と倒れ防止を行うための回路基板上の部品倒れ防止構造であって、上記主基板は、上記回路基板から切り取られて形成され、厚みの薄い矩形の第一の基部の一辺から、厚みを同じにして延設する第二の基部と第三の基部が所定の間隔を有して配置されることでコの字状の断面を形成する本体部を有する倒れ防止部材と、上記部品が半田付けされる上記回路基板のパターン近傍に、上記第二の基部と第三の基部とが上記部品を斜めに挟むことで倒れを防止するよう上記倒れ防止部材が貫通して半田付けされるスリット部とを有する構成である。
【００１５】
上記のように構成した請求項２にかかる発明において、上記回路基板から切り取られて形成される厚みの薄い倒れ防止部材は、本体部の第二の基部と第三の基部とで回路基板上に配置された部品を挟むようスリット部を貫通して半田付けすることで、上記部品の倒れを防止する。
【００１６】
そして、請求項３にかかる発明では、請求項２に記載の部品倒れ防止構造において、上記倒れ防止部材は、上記回路基板に半田付けされる部品の足が上記本体部の第一の基部を跨ぎつつ、上記第二の基部と第三の基部とが同部品を斜めに挟むよう、上記第一の基部の上記第二の基部と上記第三の基部が延設する辺とは反対の辺より厚みを同じに延設し、上記スリット部を貫通して半田付けされる第三の半田付け部と第四の半田付け部とを有する構成としてある。
【００１７】
上記のように構成した請求項３にかかる発明において、本体部は、第三の半田付け部と第四の半田付け部によりスリット部に半田付けされることで、上記回路基板に半田付けされる部品の足が上記本体部の第一の基部を跨ぎつつ、上記第二の基部と第三の基部とが同部品を斜めに挟むよう配置され部品の倒れを防止する。
【発明の効果】
【００１８】
以上説明したように本発明によれば、部品のいかなる方向の倒れも防止でき、且つ回路基板の上方から配置することが可能な部品倒れ防止構造、およびテレビジョン装置を提供することができる。
また請求項３にかかる発明によれば、部品を下から挟むように支持するので、部品にあらかじめ簡易に固定して回路基板に半田付けができる。
さらに請求項１のような、より具体的な構成において、上述した請求項２または請求項３の各発明と同様の作用を奏することはいうまでもない。
【発明を実施するための最良の形態】
【００１９】
これより、本発明の部品倒れ防止構造を有するテレビジョン装置の説明を行う。本発明はテレビジョン装置に限定されず、本発明の部品倒れ防止構造を使用する製品であれば適応することが可能である。以下、下記の順序に従って本発明の実施形態であるテレビジョン装置を説明する。
（１）テレビジョン装置の構成
（２）本発明の構成
（３）変形例
（４）まとめ
【００２０】
（１）テレビジョン装置の構成
図５はテレビジョン装置１０のブロック構成図である。同図より、テレビジョン装置１０は、表示パネル４と、スピーカ５と、主基板１とが樹脂製のキャビネット７に収容される構成である。また、主基板１には、チューナ回路３ａとクロマＩＣ回路３ｂと、映像信号処理回路３ｃと音声信号処理回路３ｄとを有する信号処理回路３と、上記信号処理回路３に必要な電源を供給する電源回路２とを有する構成である。
【００２１】
これよりテレビジョン装置１０の機能の概略について図５を用いて説明する。アンテナ８が受信したテレビジョン放送は、主基板１の信号処理回路３に入力される。チューナ回路３ａは、アンテナ８が受信した所定のテレビジョン放送から所定の番組に対応するテレビジョン放送を抽出する。クロマＩＣ回路３ｂは、上記チューナ回路３ａが受信したテレビジョン放送を基に、映像信号と音声信号とを生成する。
【００２２】
映像信号処理回路３ｃは、上記クロマＩＣ回路３ｂが生成した映像信号を基に表示パネル４に映像を表示するためのＲＧＢ映像信号を生成する。上記生成されるＲＧＢ映像信号は、表示パネル４に表示されるカラー画面を構成するＲ、Ｇ、Ｂの各階調に対応する映像信号であり、上記Ｒ、Ｇ、Ｂの各階調が組み合わさることでカラー画面を構成する。
【００２３】
音声信号処理回路３ｄは、上記クロマＩＣ回路３ｂが生成した音声信号に、スピーカ５に所定の音量で音声を表示するための増幅を行う。上記増幅された音声信号はスピーカ５にて音声として出力される。
【００２４】
電源回路２は、商用電源等の１００ボルト交流電源を整流して上記各回路に必要な電圧を再度生成する。電源回路２は商用電源等を入力して直流に整流する一次側回路２ａと上記整流した直流電源から上記した各回路に必要な電源を生成する二次側回路２ｂとを有する。上記した一次側回路２ａと二次側回路との間には、絶縁体である沿面距離が確保されており、上記沿面距離を設けることで一次側回路２ａの高圧電流が二次側回路２ｂに漏電しないようになっている。
【００２５】
しかしながら一次側回路２ａと二次側回路２ｂとの間に電圧を印加することで内部抵抗値が急激に上昇し電圧を印加した時に生じる突入電流を任意の値に抑制するサーミスタ等の背の高い部品を半田付けしている場合、上記サーミスタ６が倒れることで、一次側回路２ａと二次側回路２ｂとを同通させ、漏電により主基板１から発火する等の問題があった。そこで、本発明では部品を半田付けする際に、基板を構成する際に余った捨て基板を用いて上記部品の倒れを防止することとした。
【００２６】
（２）本発明の構成
上記目的を達成するために、主基板１は、倒れ防止部材１１とスリット部１７を有する構成である。図１は倒れ防止部材１１とスリット部１７とを示す図である。同図より、スリット部１７は、主基板１から切り取られ、厚みの薄い矩形の第一の基部１２の一辺から、厚みを同じにして延設する第二の基部１３と第三の基部１４が所定の間隔を有して配置されることでコの字状の断面を形成する本体部１１ａを有する構成である。
【００２７】
また、上記本体部１１ａを主基板１に半田付けするために、第一の半田付け部１５と第二の半田付け部１６とを有する。第一の半田付け部１５は、第一の基部１２から延設する第二の基部１３の先端より、第二の基部１３と厚みを同じに延設する。第二の基部１３は、第一の基部１２から延設する第三の基部１４の先端より、第三の基部１４と厚みを同じに延設する。
【００２８】
上記本体部１１ａと第一の半田付け部１５と第二の半田付け部１６は、主基板１を形成する際、余った基板から切り取ることで形成される。このため、倒れ防止部材１１の厚みは主基板１の厚みと同等になる。
【００２９】
また、スリット部１７は、上記倒れ防止部材１１を主基板１に半田付けするためのものである。スリット部１７は、第一のスリット１７ａと第二のスリット１７ｂとを有する構成である。第一のスリット１７ａと第二のスリット１７ｂは、サーミスタ６等の部品が半田付けされる主基板１のパターン近傍に形成され、倒れ防止部材１１の第一の半田付け部１５と第二の半田付け部１６とが上記した第一のスリット部１７と第二のスリット１７ｂを貫通して半田付けされる。
【００３０】
図２は、倒れ防止部材１１を主基板１に半田付けした図である。同図より、倒れ防止部材１１は、第二の基部１３と第三の基部１４とでサーミスタ６を上方から斜めに跨ぐよう主基板１に半田付けされる。これによりサーミスタ６は、上方に倒れ防止部材の第一の基部１２を配置し、前後方向に第二の基部１３と第三の基部１４とを配置することとなり、サーミスタ６の２本の足が並ぶ方向を左右方向とした場合、第一の基部１２で左右方向の倒れを防止し、第二の基部１３と第三の基部１４とで前後方向の倒れを防止することが可能となる。また、倒れ防止部材１１の構造は主基板１の上方から、同倒れ防止部材を配置するので、簡易な構造で且つ回路基板の上方から配置することが可能となり、パーツフィーダ等の部品配給装置を使用した際には特に有益な構成である。
【００３１】
（３）変形例
また、倒れ防止部材１１の形状を以下に示すような構造にすることで、上述した倒れ防止部材の効果と同様な効果をえることが可能である。図３は倒れ防止部材の変形例を示す図である。同図より、倒れ防止部材１１は、上述した倒れ防止部材１１と同様に、厚みの薄い矩形の第一の基部１２の一辺から、厚みを同じにして延設する第二の基部１３と第三の基部１４が所定の間隔を有して配置されることでコの字状の断面を形成する本体部１１ａを有する構成である。
【００３２】
しかしながら、上記本体部１１ａを主基板１のスリット部１７を貫通して半田付けするために、第一の基部１２の第二の基部１３と第三の基部１４が延設する辺とは反対の辺より厚みを同じに延設する第三の半田付け部１８と第四の半田付け部１９とを有する構成である。
【００３３】
図４は倒れ防止部材１１を主基板１に半田付けした図である。同図より、倒れ防止部材１１の半田付け方法として、サーミスタ６の足の間から倒れ防止部材１１の本体部１１ａを通し、倒れ防止部材１１の第三の半田付け部１８と第四の半田付け部１９を、主基板１の第一のスリット１７ａと第二のスリット１７ｂに貫通させて半田付けする。また、サーミスタ６と倒れ防止部材１１とを接着剤等で仮固定し、主基板１に一緒に半田付けしてもよい。
【００３４】
上記方法にて、倒れ防止部材１１は、本体部１１ａの第一の基部１２がサーミスタ６の足の間を通り、第二の基部１３と第三の基部１４とが同サーミスタ６を下方から斜めに挟むよう主基板１に半田付けされる。これにより、サーミスタ６が前後に倒れた場合は、サーミスタ６が第二の基部１３または第三の基部１４に干渉することで倒れを防止し、左右に倒れた場合は、サーミスタ６が第一の基部１２に干渉することで倒れを防止する。これにより、サーミスタ６のいかなる方向の倒れも防止することが可能となる。また、部品を下から挟むように支持するため、サーミスタ６等の部品にあらかじめ簡易に固定して回路基板に配給した後半田付けができるので、部品をセットするための工数を減らすことが可能となる。
【００３５】
（４）まとめ
回路基板上に立設されたコンデンサ等の部品の沿面距離確保と倒れ防止を行うための回路基板上の部品倒れ防止構造であって、上記主基板は、上記回路基板から切り取られて形成される厚みの薄い倒れ防止部材と、上記部品が半田付けされる上記回路基板のパターン近傍に、上記部品の倒れを防止するよう上記倒れ防止部材が貫通して半田付けされるスリット部とを有する。
【００３６】
そして、請求項３にかかる発明では、請求項２に記載の部品倒れ防止構造において、上記倒れ防止部材は、上記回路基板に半田付けされる部品の足が上記本体部の第一の基部を跨ぎつつ、上記第二の基部と第三の基部とが同部品を斜めに挟むよう、上記第一の基部の上記第二の基部と上記第三の基部が延設する辺とは反対の辺より厚みを同じに延設し、上記スリット部を貫通して半田付けされる第三の半田付け部と第四の半田付け部とを有する構成としてある。
【００３７】
上記のように構成した請求項３にかかる発明において、本体部は、第三の半田付け部と第四の半田付け部によりスリット部に半田付けされることで、上記回路基板に半田付けされる部品の足が上記本体部の第一の基部を跨ぎつつ、上記第二の基部と第三の基部とが同部品を斜めに挟むよう配置され部品の倒れを防止するので、部品にあらかじめ簡易に固定したのち回路基板に半田付けができる。
【００３８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３９】
【図１】倒れ防止部材とスリット部を示す図である。
【図２】倒れ防止部材を回路基板に半田付けした図である。
【図３】倒れ防止部材の変形例を示す図である。
【図４】回路基板に半田付けした図である。
【図５】テレビジョン装置１０のブロック構成図である。
【符号の説明】
【００４０】
１０…テレビジョン装置
１１…倒れ防止部材
１１ａ…本体部
１２…第一の基部
１３…第二の基部
１４…第三の基部
１５…第一の半田付け部
１６…第二の半田付け部
１７…スリット部
１７ａ…第一のスリット
１７ｂ…第二のスリット
１８…第三の半田付け部
１９…第四の半田付け部   
【図１】
2007227542.tif 000003
【図２】
2007227542.tif 000004
【図３】
2007227542.tif 000005
【図４】
2007227542.tif 000006
【図５】
2007227542.tif 000007